(57)【要約】【課題】  大型のスピーカ装置を設けることができるようにした遊技機を提供する。【解決手段】  遊技が行われる状態とされる本体基部４が外枠３に対して閉じられた状態では、本体基部４に設けられたスピーカ装置１６からの音声は、外枠３に設けられたダクト１９を介して音声出力用開口１１の貫通孔１１ａより機外へ出力される。このように、スピーカ装置１６と音声出力用開口１１とをダクト１９を介して連通することにより、スピーカ装置１６と音声出力用開口１１との配置を、それぞれ独立して決定することができるので、本体基部４の余裕のある設置スペースを選択し、その設置スペースに大型のスピーカ装置を設けることができる。【選択図】        図４
2005034613.tif 000002
【特許請求の範囲】
【請求項１】
音声を発生させる音声発生装置を備えた本体基部と、この本体基部を閉じ位置と開き位置との間で回動自在に保持する保持部とを有する遊技機において、
前記保持部に、前記音声発生装置からの音声を機外へ出力する音声出力部を設け、
前記本体基部が前記閉じ位置にある場合に、一端の開口が前記音声出力部と連通し、他端の開口が前記音声発生装置と連通する管状部材を前記保持部に設け、
前記音声発生装置からの音声を、前記管状部材を介して前記音声出力部から出力することを特徴とする遊技機。
【請求項２】
前記本体基部に前記音声発生装置を収容する収容部を設け、この収容部に前記他端の開口と連通し得る貫通孔を設けたことを特徴とする請求項１に記載の遊技機。
【請求項３】
前記収容部は複数の面からなり、この複数の面の少なくとも一面は、前記本体基部の回動軸と垂直となる面に対して傾斜した傾斜面であり、この傾斜面に前記貫通孔を設け、前記他端の開口は、前記本体基部が前記閉じ位置にある場合に前記傾斜面と近接して対向することを特徴とする請求項２に記載の遊技機。
【請求項４】
前記音声発生装置と前記他端の開口とが連通する部分に、前記音声発生装置からの音声が漏れることを防ぐ音漏れ防止部材を設けたことを特徴とする請求項１ないし３にいずれか１つ記載の遊技機。
【発明の詳細な説明】
【技術分野】
【０００１】
本発明は、パチンコ店などの遊技場に設置して使用される遊技機に関するものである。
【背景技術】
【０００２】
パチンコ機などの遊技機は、遊技機を作動させる作動装置を備える本体基部を、遊技場の所定位置に固定するための外枠と称される保持部に組み付けて設置される。遊技機に備えられる作動装置としては、例えばパチンコ機では、遊技状態を制御する制御回路装置、遊技球を遊技領域に発射する球発射装置、受け皿に遊技球を払い出す球払出装置等の主装置の他に、光を点滅させるランプ装置、音声を発生させるスピーカ装置等の副装置がある。スピーカ装置は制御回路装置からの音声信号を受けて遊戯状態に応じた様々な効果音や音楽等の音声を発生させるものであり、遊技機の前方から後方にかけて貫通して形成された開口を有する音声出力用開口（音声出力部）に直接的に設置される。スピーカ装置からの音声はこの音声出力用開口を介して機外へ出力される。
【発明の開示】
【発明が解決しようとする課題】
【０００３】
ところで、近年では、遊技者の興趣を高める一環として、スピーカ装置からの音声の良質化が求められている。しかしながら、従来のようにスピーカ装置を音声出力用開口に直接的に設置する構成では、後方側に設けられる作動装置やその他の構造物等の形状や設置位置などの構成によっては、スピーカ装置の設置スペースが限られてしまい、大型のスピーカを設置することができない場合があった。このような場合、遊技者を満足させるだけの音質を得るためには、小型で高性能なスピーカが必要となり、遊技機の製造コストが高くついてしまう。
【０００４】
本発明は、上記背景を考慮してなされたものであり、音声発生装置を設ける自由度を高めて、製造コストを低減しつつ、良質な音声が聴取されるようにした遊技機を提供することを目的とする。
【課題を解決するための手段】
【０００５】
上記の目的を達成するために、本発明の遊技機では、音声を発生させる音声発生装置を備えた本体基部と、この本体基部を閉じ位置と開き位置との間で回動自在に保持する保持部とを有するものであり、前記保持部に、前記音声発生装置からの音声を機外へ出力する音声出力部を設け、前記本体基部が前記閉じ位置にある場合に、一端の開口が前記音声出力部と連通し、他端の開口が前記音声発生装置と連通する管状部材を前記保持部に設け、前記音声発生装置からの音声を、前記管状部材を介して前記音声出力部から出力するものである。
【０００６】
また、前記本体基部に前記音声発生装置を収容する収容部を設け、この収容部に前記他端の開口と連通し得る貫通孔を設けることが好ましい。
【０００７】
また、前記収容部は複数の面からなり、この複数の面の少なくとも一面は、前記本体基部の回動軸と垂直となる面に対して傾斜した傾斜面であり、この傾斜面に前記貫通孔を設け、前記他端の開口は、前記本体基部が前記閉じ位置にある場合に前記傾斜面と近接して対向することが好ましい。
【０００８】
また、前記音声発生装置と前記他端の開口とが連通する部分に、前記音声発生装置からの音声が漏れることを防ぐ音漏れ防止部材を設けることが好ましい。
【発明の効果】
【０００９】
本発明の遊技機によれば、音声を発生させる音声発生装置を備えた本体基部と、この本体基部を閉じ位置と開き位置との間で回動自在に保持する保持部とを有する遊技機において、前記保持部に、前記音声発生装置からの音声を機外へ出力する音声出力部を設け、前記本体基部が前記閉じ位置にある場合に、一端の開口が前記音声出力部と連通し、他端の開口が前記音声発生装置と連通する管状部材を前記保持部に設け、前記音声発生装置からの音声を、前記管状部材を介して前記音声出力部から出力するものであるので、余裕のある設置スペースを選択することで、大型の音声発生装置を設けることができる。これにより、コスト負担のかかる小型で高性能な音声発生装置を設ける必要もなく、遊技者を満足させるだけの良質な音声を得ることができる。
【発明を実施するための最良の形態】
【００１０】
本実施形態では、遊技機の一例としてパチンコ機を採用する。図１、及び図２に示すように、パチンコ機（遊技機）２は、パチンコ店などの遊技場の所定位置に固定される外枠（保持部）３と、この外枠３に開閉自在に保持された本体基部４とから構成されている。本体基部４の内部には遊技盤５が配設されており、本体基部４の前面には回動自在な扉部となる前面扉６が設けられている。この前面扉６には、遊技盤５の前面に形成され、打ち出されたパチンコ球が流下する遊技領域５ａを観察するためのガラス窓７が設けられている。前面扉６の下方には、打ち出し用のパチンコ玉を貯留する球皿８及びパチンコ玉の打ち出し強さを調節する操作ハンドル９が設けられている。球皿８の下方に設けられ装飾部材１０の両端には、音声を機外へと出力する音声出力用開口（音声出力部）１１が形成されている。音声出力用開口１１から遊技状態に応じて様々な効果音や音楽等の音声が放出される。
【００１１】
遊技盤５の遊技領域５ａの略中央には、図柄表示装置１２が設けられている。図柄表示装置１２は３つに区分けされ、それぞれのセクションにおいて図柄が流れるように表示される変動表示状態から及び図柄が１つ停止表示される停止表示状態に移行する。図柄表示装置１２は遊技領域に打ち出されたパチンコ玉が始動入賞口に入賞すると、様々な図柄を変動表示した後に、入賞を契機として行われた電子抽選の結果を告知するための図柄を停止表示する。図柄表示装置１２の周りには、始動入賞口の他に様々な種類の入賞口１３、及びアウト口１４が設けられる。遊技者は、球皿８にパチンコ玉を投入することでパチンコ球を発射装置へと導き、操作ハンドル９を回動操作してパチンコ球を遊技領域５ａに打ち出す。遊技領域５ａに打ち出されたパチンコ球はいずれかの入賞口１３に入って検知部に検出されるようになるか、あるいはアウト口１４から回収される。なお、パチンコ機２の遊技領域５ａにおいて設けられている複数の釘、風車などの構造物は公知であるので説明は省略する。
【００１２】
本体基部４の裏側には球発射装置、球払出装置、主電源、ランプ装置、スピーカ装置（音声発生装置）１６等の駆動装置、これらの駆動装置を、例えば所定入賞口へのパチンコ球の入賞の検出に基づく遊技状態に応じて作動させるための制御を行う制御回路装置１７がそれぞれ設けられている。これらの駆動装置及び制御回路装置１７は、ケーブル及びコネクタ等を介して電気的に接続されている。なお、スピーカ装置１６は２個設けられており、それぞれ略方形状のスピーカボックス（収容部）１８に収容されている。そして、このスピーカボックス１８は本体基部４の裏側に組み付けられている。さらに、外枠３の下部には、詳細は後述するがスピーカ装置１６からの音声を音声出力用開口１１に通すダクト（管状部材）１９が設けられている。
【００１３】
図３、４に示すように、外枠３の下部には、板部材２０が固定して取り付けられている。板部材２０には、その前面から後面に貫通して形成された貫通孔２１が２個設けられている。板部材２０の上部には、ビスを固定するためのビス取付穴２０ａが３個設けられている。装飾部材１０に設けられた音声出力用開口１１には、その前面から後面にかけて貫通して形成された貫通孔１１ａが５個設けられている。装飾部材１０に設けられたビス挿通穴１０ａと板部材２０のビス取付穴２０ａとにビス２１ａを通して締めることにより、音声出力用開口１１の後方に貫通孔２１が配されるように、装飾部材１０が板部材２０の前面に取り付けられている。すなわち、板部材２０と装飾部材１０との間の中空部分を接続して、音声出力用開口１１と貫通孔２１とが連通している。
【００１４】
板部材２０に設けられた２個の貫通孔２１の後部側（装飾部材１０が取り付けられる側と反対の側）の両脇部分には、ビスを固定するためのビス取付穴２０ｂが２個づつ設けられている。一方、ダクト１９は、管形状であり空洞部の出入口としての開口を２つ有している。一方の開口である第１開口（一端の開口）２２は、略横方向を向いている。他方の開口である第２開口（他端の開口）２３は、第１開口２２より上方に位置し、且つ略上方向を向いている。ダクト１９の第１開口２２側の外表面には、ビスが挿通されるビス挿通穴を備えた取付け部材１９ａがビス取付穴２０ｂに対向するように２個づつ設けられている。この取付け部材１９ａのビス挿通穴と、板部材２０のビス取付穴２０ｂとにビス２１ｂを通して締めることにより、第１開口２２が貫通孔２１にその後部側より接続するように、ダクト１９が板部材２０の後面に取り付けられている。すなわち、貫通孔２１と第１開口２２とが連通するようになる。また、ダクト１９はビス締めにより板部材２０に固定して取り付けられているが、貫通孔２１と第１開口２２とが連通する構成を満たすのであれば、外枠３に固定して取り付けても良いし、固定せずに樹脂爪等を用いて着脱自在に取り付けるなど、適宜の方法で取り付けて良い。
【００１５】
図４に示すように、スピーカボックス１８表面の下側面１８ａは、本体基部４の回動軸と垂直となる面に対して傾斜している。その下側面１８ａには、スピーカボックス１８の内側面に貫通して形成された貫通孔１８ｂが設けられている。この貫通孔１８ｂを通してスピーカボックス１８に収容されたスピーカ装置１６の音発生部１６ａが露呈している。下側面１８ａは、回動自在な本体基部４が外枠３に対して閉じられているときに、ダクト１９の第２開口２３と近接して対向するように設けられている。貫通孔１８ｂは、下側面１８ａと第２開口２３とが近接して対向するとともに、第２開口２３と連通するように設けられている。即ち、ダクト１９は、本体基部４が外枠３に対して閉じられている場合に、音声出力用開口１１の音声出力口１１ａと貫通孔１８ｂとの間を中継して連通するようになる。
【００１６】
ダクト１９の第２開口２３の開口縁には、スピーカ装置１６からの音声がスピーカボックス１８とダクト１９との隙間から漏れることを防止するゴムシート（音漏れ防止部材）２４が設けられている。このゴムシート２４は、貫通孔１８ｂと第２開口２３とが連通したときに、第２開口２３の開口縁と貫通孔１８ｂの開口縁との隙間を埋めるように設けられている。なお、本実施形態では、ゴムシート２４を第２開口２３の開口縁に設けたが、ゴムシートは、第２開口２３の開口縁又は貫通孔１８ｂの開口縁の少なくともいずれか一方に設けて良いものである。また、ダクト１９の第１開口２２と貫通孔２１との連通部分にゴムシートを設けても良い。
【００１７】
次に、上記のように構成されたパチンコ機の作用について説明する。通常、遊技が行われる状態とされる本体基部４が外枠３に対して閉じられた状態では、制御回路装置１７の制御処理に基づいてスピーカ装置１６から発生され、スピーカボックス１８の貫通孔１８ｂから出力された音声は、ダクト１９の第２開口２３からダクト１９の管内に入る。第２開口２３から管内に入った音声は、第１開口２２、貫通孔２１を介して、音声出力用開口１１の貫通孔１１ａより機外へ出力される。このように、スピーカ装置１６と音声出力用開口１１とが離れて設けられた構成であっても、スピーカ装置１６からの音声をダクト１９を介して音声出力用開口１１に送ることにより機外へ出力することができる。
【００１８】
また、本体基部４を閉じ位置に移動させて、スピーカボックス１８の下側面１８ａがダクト１９の第２開口２３と近接して対向するようにした場合には、下側面１８ａが本体基部４の回動軸と垂直となる面に対して傾斜していることから、下側面１８ａは、第２開口２３と近接して対向する位置に案内され易くなる。また、下側面が本体基部の回動軸と垂直となる面に対して傾斜していない場合にくらべて、下側面と第２開口との結合力が向上する。
【００１９】
また、球皿８の下方に音声出力用開口１１を設けたことにより、一般に活用されることが少なかった球皿８の下方部分を有効利用することができる。
【００２０】
なお、音声発生装置から発生する音声を低周波とすると、その性質上、ダクトを介してもその音質が劣化しないので好適である。
【００２１】
なお、ダクト形状に工夫を加えることにより、ダクト管内を通る音声に共鳴を起させ、機外へ出力される音声をその発生時よりも増強し得る。
【００２２】
なお、本実施形態のように音声出力部を保持部の下部に設けた場合、音声発生装置から発生する音声を低温とすることにより、迫力感のある音声を遊技者に聴取させることができる。なお、音声出力部の設置位置は保持部の下部に限定されるものでない。
【００２３】
また、保持部に対して本体基部が交換可能である遊技機においては、機種交換の際に、保持部を遊技場又は工場などに据置きする非交換部として、本体基部を交換部とした場合、ダクトは保持部に設けてあるので、機種によらず共通の部品として用いることができる。これにより、機種交換時のコストを抑えることができる。
【００２４】
次に本発明を実施した第２実施形態について説明する。図５に示すように、外枠３の下部の前面側寄りの一辺には、直方体形状の板部材３０がビス３２ａと固定基体３２ｂとからなる固定具３２によって固定されている。板部材３０は長手方向が左右を向くように配設されており、板部材３０にはその前面から後面に貫通して形成された貫通孔３０ａが長手方向に２つ形成されており、板部材３０の上部にはビス３５を固定するためのビス取り付け穴３０ｂが３つ形成されている。それぞれのビス挿通孔１０ａにビス３５を挿通させ、板部材３０のビス取り付け穴３０ｂにビス３５を螺嵌して固定することにより、板部材３０の前側に音声出力用開口１１が配置される。なお、この板部材３０に形成された貫通孔３０ａが装飾板１０に形成された音声出力用開口１１と連通することで、音声出力用開口１１はパチンコ機２の外部に音声を出力することができる。
【００２５】
板部材３０の後側には、貫通孔３０ａの両脇に上下方向に向って嵌合レール３０ｃが形成される。嵌合レール３０ｃには、スピーカダクト３７の一方の開口縁である第１開口（一端の開口）３７ｅ（図６参照）の両側に突出形成された嵌合ボス３７ａが嵌合レール３０ｃに対してスライド自在に嵌め込まれる。このとき他方の開口である第２開口（他端の開口）３７ｆは第１開口より上方に位置し、且つ略上方を向いている。嵌合ボス３７ａはスピーカダクト３７の左右にそれぞれに上下２つずつ形成されており、嵌合ボス３７ａが嵌合レール３０ｃに嵌め込まれることにより、スピーカダクト３７の第１開口３７ｅが貫通孔３０ａの周囲に合わさるように案内され、スピーカダクト３７の第１開口３７ｅと板部材３０の貫通孔３０ａとが連通すると共に後側に取り付けられる。このようにスピーカダクト３７に嵌合ボス３７ａを形成し、板部材３０に嵌合レール３０ｃを形成し、嵌合ボス３７ａが嵌合レール３０ｃに嵌められて嵌合レール３０ｃに沿って案内されることでスピーカダクト３７の第１開口３７ｅを板部材３０の貫通孔３０ａと対向する位置に容易に取り付けることができる。なお、板部材３０の上部には、本体基部４が外枠３に嵌め込まれる際に本体基部４に設けられた当接部を受けて、予め定められた閉じ位置まで本体基部４を案内する受容部４０が設けられている。
【００２６】
スピーカダクト３７の分解斜視図を図６に示す。スピーカダクト３７は中空であって、横から観察すると略Ｌ字形状をしている（図７参照）。スピーカダクト３７は左右に分離する２つのブロック３７ｂ、３７ｃとからなる。それぞれのブロック３７ｂ、３７ｃを合わせてビス３７ｇをブロック３７ｃに形成されたネジ穴から螺嵌することにより、筒状のスピーカダクト３７が形作られる。それぞれのブロック３７ｂ、３７ｃの第１開口３７ｅ側の左右の外壁には嵌合ボス３７ａが上下２つずつ形成され、第２開口３７ｆにはパチンコ球の直径よりも狭い間隔を隔てて棒状の部材が略平行に複数配設された球除け格子３７ｄが形成されている。球除け格子３７ｄの格子間隔はパチンコ球の直径よりも小さく形成されているため球除け格子３７ｄの間を通り抜けてスピーカダクト３７内にパチンコ球が進入することはない。図７にスピーカダクト３７を横から観察した平面図を示す。スピーカダクト３７を板部材３０に取り付けると、第２開口３７ｆは水平線Ｈに対して前側が後側よりも低く傾く。さらに球除け格子３７ｄを構成するぞれの棒状の部材も水平線Ｈに対して前側が後側よりも低く傾く。このため球除け格子３７ｄ上にパチンコ球が落ちた場合には前側に向って転がるため、パチンコ球が球除け格子３７ｄ上に滞在することはない。
【００２７】
図８及び図９に示すように、本体基部４に取り付けられたスピーカボックス４３は略立方体の箱状のスピーカ保持部４３ａと板部材からなる音漏れ防止部４３ｂとから構成される。スピーカ保持部４３ａの下側面４３ｃは、本体基部４と外枠３とが回動するための回動軸と垂直縦方向となる面に対して前方が低くなるように傾斜している。スピーカ保持部４３ａの下側面４３ｃには、スピーカ保持部４３の内部と貫通する貫通孔４３ｄが設けられている。貫通孔４３ｄからは、スピーカ保持部４３ａの内部に固定してあるスピーカ装置１６の音発生部１６ａが外部に露呈している。板部材３０に取り付けられたスピーカダクト３７は、スピーカダクト３７の第１開口３７ｅが貫通孔３０ａに合わさり、第２開口３７ｆは前側が後側よりも低く傾斜し、第２開口３７ｆに形成された球除け格子３７ｄも前側が後側よりも低く傾斜する。図１０にスピーカボックス４３を後側から観察した斜視図を示す。スピーカボックス４３に形成された下側面４３ｃの周囲には板状の音漏れ防止部材４３ｂが下側面４３ｃを設けられている。ただし、スピーカダクト３７の第２開口３７ｆを下側面４３ｃに形成された貫通孔４３ｄと連通させるように導くため、後側には音漏れ防止部材は設けられていない。本体基部４が外枠３に嵌め込まれた場合、スピーカダクト３７の第２開口３７ｆとスピーカボックス４３の下側面４３ｃに形成された貫通孔４３ｄとが連通し、音漏れ防止部材４３ｂはスピーカダクト３７の第２開口３７ｆと下側面４３ｃとが対向する部分の周囲に被さり、スピーカ装置１６の音発生部１６ａで発生した音声が、下側面４３ｃと第２開口３７ｆとの隙間から外部に漏れるのを防止する。
【００２８】
スピーカダクト３７の嵌合ボス３７ａが板部材３０の嵌合レール３０ｃに案内されて嵌合すると、第２開口３７ｆは上方に向くと共に前側に低く傾斜し、スピーカダクト３７の第１開口３７ｅと板部材３０の貫通孔３０ａとが連通する。第２開口３７ｆに設けた球除け格子３７ｄは前側に低く傾斜しているため、例えば、本体基部４を回動させて外枠３より解放した際に落下したパチンコ球がスピーカダクト１９内に進入することなく前側に転がって紛失することを防止できる。スピーカダクト３７自体を上下方向にスライドさせれば板部材３０から容易に着脱できるため、例えば、外枠３を島設備に固定する際にスピーカダクト３７の存在が固定作業に支障をきたすときにはスピーカダクト３７を予め取りはずしておき、外枠３を島設備に固定した後にスピーカダクト３７を板部材３０に取り付けることが簡便にでき、これによりパチンコ機２をより容易に島設備に配設することができる。
【００２９】
なお、上記の第２実施形態では、スピーカボックス４３に板状の部材からなる音漏れ防止部４３ｂを設けてスピーカ装置１６で発生した音声が外部に漏れないようにしたが、図１１に示すように、スピーカダクト４６の第２開口４６ａの縁に沿って柔らかいゴムシート４６ｂを設け、本体基部４を外枠３に嵌めこんだ際にゴムシート４６ｂを介してスピーカボックス４３の下側面４３ｃとスピーカダクト４６の第２開口４６ａとが密着するようにしてもよい。これによって、スピーカ装置１６の音発生部１６ａから出力された音声が外部に漏れるのをさらに防止することができる。
【００３０】
また、上記の第２実施形態では音漏れ防止部４３ｂをスピーカボックス４３に設けたが、音漏れ防止部はスピーカダクトに設けたり、スピーカボックスとスピーカダクトとの両方に設けても良い。特にスピーカボックスとスピーカダクトとの両方に音漏れ防止部を設けることでスピーカ装置で発生した音声が外部に漏れないようにする機能をさらに高めることができる。
【００３１】
また、上記の第２実施形態では、棒状の部材がパチンコ球の直径よりも狭い間隔で複数配列した球除け格子３７ｄを第２開口３７ｆに設けたが、球除け格子の形状はこれに限らない。例えば、網形状の球除け格子でもよい。図１２に網状の球除け格子を第２開口に設けたスピーカダクトについて説明する斜視図を示す。スピーカダクト４８は筒形状をしており、その一端には板部材３０に形成された貫通孔３０に合わさる第１開口４８ａが形成され、他端に形成された第２開口４８ｂには網状に形成された球除け格子４８ｃが設けられている。球除け格子４８ｃの網の目の大きさはパチンコ玉よりも小さく、このためパチンコ玉はスピーカダクト４８内に進入することはない。このように網状の球除け格子４８ｃを第２開口４８ｂに設けてもパチンコ玉がスピーカダクト内に進入することを防止することができる。
【００３２】
また、上記の第２実施形態ではスピーカダクト３７の第１、第２開口３７ｅ，３７ｆの形状は、ともに四角形状であったが、本発明はこれに限らない。例えば、図１２に示すように、スピーカダクト５０の第２開口５０ａの形状を円形にするとともに、この第２開口５０ａに遊技球の進入を防止する球除け格子５０ｂを形成してもよい。第２開口５０ａの形状を円形にすることでスピーカ装置１６の音声出力部１６ａの形状に合致するようになるとともに、スピーカダクトをより小さくすることができる。    
【図面の簡単な説明】
【００３３】
【図１】本発明のパチンコ機の外観図である。
【図２】本体基部をひらいたときのパチンコ機の外観図である。
【図３】外枠下部の構成を分解して示す斜視図である。
【図４】本体基部のダクト近傍及び外枠下部の断面図である。
【図５】スピーカダクト周辺の構成を示した分解斜視図である。
【図６】スピーカダクトを分解した斜視図である。
【図７】スピーカダクトを横から観察した平面図である。
【図８】本体基部を開いてスピーカボックスについて説明するパチンコ機の外観図である。
【図９】本体基部のスピーカダクト近傍及び外枠下部の断面図である。
【図１０】スピーカボックスを後側から観察した斜視図である。
【図１１】第２開口にゴムシートを設けたスピーカダクトの斜視図である。
【図１２】網状の球除け格子を第２開口に形成したスピーカダクトを説明する斜視図である。
【図１３】円形に形成された第２開口を有し、横から見てＬ字形状に形成されたスピーカダクトの外観図である。
【符号の説明】
【００３４】
２  パチンコ機（遊技機）
３  外枠（保持部）
４  本体基部
１１  音声出力用開口（音声出力部）
１６  スピーカ装置（音声発生装置）
１８  スピーカボックス（収容部）
１８ａ  下側面（傾斜面）
１８ｂ  貫通孔
１９  ダクト（管状部材）
２２  第１開口（一端の開口）
２３  第２開口（他端の開口）
２４  ゴムシート（音漏れ防止部材）
【図１】
2005034613.tif 000003
【図２】
2005034613.tif 000004
【図３】
2005034613.tif 000005
【図４】
2005034613.tif 000006
【図５】
2005034613.tif 000007
【図６】
2005034613.tif 000008
【図７】
2005034613.tif 000009
【図８】
2005034613.tif 000010
【図９】
2005034613.tif 000011
【図１０】
2005034613.tif 000012
【図１１】
2005034613.tif 000013
【図１２】
2005034613.tif 000014
【図１３】
2005034613.tif 000015